(57)【要約】【課題】本発明は、鹿、猪等の動物が畑等に入り込むことを阻止するための新規な動物侵入防止柵の提供を図る。【解決手段】地面に立設された主柵体に対して、地面に沿うように位置させるための裾柵体を下端に形成した吊り下げ部材の上端を回転自在に枢支させ、当該裾柵体の先端に、動物の侵入方向に斜め上方に突出する踏切り錯乱用柵体を連設し、当該吊り下げ部材は不要時に上方に跳ね上げておくことが出来るように構成する。【選択図】  図１
2016202069.tif 000002
【特許請求の範囲】
【請求項１】
地面に立設された主柵体に対して、地面に沿うように位置させるための裾柵体を下端に形成した吊り下げ部材の上端を回転自在に枢支させ、当該裾柵体の先端に、動物の侵入方向に斜め上方に突出する踏切り錯乱用柵体を連設し、当該吊り下げ部材は不要時に上方に跳ね上げておくことが出来るように構成した動物侵入防止柵。
【請求項２】
吊り下げ部材の上端位置が、主柵体の高さ方向の中央位置を超えた部分に位置するように設定することにより、当該吊り下げ部材を跳ね上げた際に、裾柵体及び踏切り錯乱用柵体が主柵体を越えることにより、当該吊り下げ部材が跳ね上げられた状態での停止が図られるように構成した請求項１に記載の動物侵入防止柵。
【請求項３】
地面に立設された主柵体に対して吊り下げ部材の上端を回転自在に枢支させ、当該主柵体における当該吊り下げ部材と重複する部分に網材等の仕切材を設けないことにより、当該吊り下げ部材を跳ね上げた際に、作業用等の出入り口とする開口部分が、当該主柵体の全幅に亘って、或は、部分的に形成されるように構成した請求項１または請求項２の何れかに記載の動物侵入防止柵。
【発明の詳細な説明】
【技術分野】
【０００１】
本発明は、鹿、猪等の動物が畑等に入り込むことを阻止するための動物侵入防止柵に関する。
【背景技術】
【０００２】
最近、鹿、猪等の動物が畑等に侵入して作物を食い荒らす被害が発生している。従来は、これを防止するために、畑などの周囲に野生動物の侵入を防止するための侵入防止柵の設置が行われている。しかし、猪は１．２ｍ、鹿は２．０ｍを超える跳躍能力があり、これの飛び越えを阻止する手段が求められることとなる。また、猪では、侵入防止柵の下を掘り潜って侵入してくることもあり、この防止も図らなければならない。
【０００３】
従来、上記のような問題を解決する手段として、本願と出願人及び発明者を同一とするとする特許出願に係る「動物侵入防止柵」がある(特許文献１参照。)。
【０００４】
これは図４に示すように、地面から立設された主柵体ａと、この主柵体ａの下部に設けられ地面に沿って設けられた裾柵体ｂと、この裾柵体ｂの端部から動物の侵入方向に斜め上方に突出する踏切り錯乱用柵体ｃからなり、各柵体は網状体から構成された「動物侵入防止柵」である。
【先行技術文献】
【特許文献】
【０００５】
【特許文献１】特開２０１２―２３１７０４号公報
【発明の概要】
【発明が解決しようとする課題】
【０００６】
上記した従来手段の場合、裾柵体ｂの存在に基づき、動物に依る掘り起しが、踏切り錯乱用柵体ｃの存在に基づき、動物に依る同飛び越えが良く防止されることとなる。
【０００７】
然し乍ら、裾柵体ｂ及び踏切り錯乱用柵体ｃの存在は、主柵体ａの前方に迫り出しているため、例えば雑草或は農作物の刈り取り作業等に際しては、邪魔な存在、すなわち、障害物化してしまい、主柵体ａのまじか迄の作業、特に機械による刈り取り作業は全く不能化されてしまう、と言うような問題が生じることとなった。
【０００８】
本発明は上述したように従来の問題を解消するように改良した「動物侵入防止柵」の提供を図ったものである。
【課題を解決するための手段】
【０００９】
本発明は請求項１に記載のように、地面に立設された主柵体に対して、地面に沿うように位置させるための裾柵体を下端に形成した吊り下げ部材の上端を回転自在に枢支させ、当該裾柵体の先端に、動物の侵入方向に斜め上方に突出する踏切り錯乱用柵体を連設し、当該吊り下げ部材は不要時に上方に跳ね上げておくことが出来るように構成した動物侵入防止柵に係る。
【００１０】
本発明は請求項２に記載のように、吊り下げ部材の上端位置が、主柵体の高さ方向の中央位置を超えた部分に位置するように設定することにより、当該吊り下げ部材を跳ね上げた際に、裾柵体及び踏切り錯乱用柵体が主柵体を越えることにより、当該吊り下げ部材が跳ね上げられた状態での停止が図られるように構成した請求項１に記載の動物侵入防止柵を実施の態様とする。
【００１１】
本発明は請求項３に記載のように、地面に立設された主柵体に対して吊り下げ部材の上端を回転自在に枢支させ、当該主柵体における当該吊り下げ部材と重複する部分に網材等の仕切材を設けないことにより、当該吊り下げ部材を跳ね上げた際に、作業用等の出入り口とする開口部分が、当該主柵体の全幅に亘って、或は、部分的に形成されるように構成した請求項１または請求項２の何れかに記載の動物侵入防止柵を実施の態様とする。
【発明の効果】
【００１２】
本発明は請求項１に記載のような構成の採用に基づき、裾柵体と、動物の侵入方向に斜め上方に突出する踏切り錯乱用柵体による良好なる動物侵入防止作用効果が奏される動物侵入防止柵において、その侵入防止効果を阻害することなく、不要時にはこれを跳ね上げておくことが出来るから、草刈等の作業時におけるこれの邪魔性が排除される。従って、その作業の可能化及び迅速化が図られる。
【００１３】
本発明は請求項２に記載のような構成の採用に基づき、不要時の吊り下げ部材の跳ね上げ状態での安定化が自動的に達成されるため、作業の迅速化が図られる。
【００１４】
本発明は請求項３に記載のような構成の採用に基づき、草刈等の作業時、主柵体の内外行き来が自由化される。従って、これがない場合に行わざるを得なかった、柵主体を乗り越えたり、柵主体の始端側或は終端側まで回らなかったりするような、時間が掛かりかつ面倒な行動が不要化され、作業の迅速性向上に貢献する。
【図面の簡単な説明】
【００１５】
【図１】本発明の実施例を表した説明用側面図である。
【図２】本発明の他の実施例を表した説明用側面図である。
【図３】本発明のもう一つの実施例を表した説明用側面図である。
【図４】従来の動物侵入防止柵を表した斜視図である。
【発明を実施するための形態】
【００１６】
本発明は、特開２０１２−２３１７０４号公報に掲載の「動物侵入防止柵」（特許文献１）の改良に関するものである。
【００１７】
図１において、１は主柵体であって、地面に対して垂直状に立設してある。そして、その表面には網状体１ａを張設することにより、動物の侵入阻止機能を果たすように構成してある。
【００１８】
２は吊り下げ部材であって、その下端には、地面に沿うように位置させるための裾柵体３と、動物の侵入方向に斜め上方に突出する踏切り錯乱用柵体４とが、一連状態で連設してある。
【００１９】
そして、当該吊り下げ部材２の上端は、前記した主柵体１に対して回転自在に枢支５してある。また、当該吊り下げ部材２の上端位置が、主柵体１の中央位置（半部位置）を超えた高さ部分に位置するように設定することにより、当該吊り下げ部材２を跳ね上げた際に、裾柵体３及び踏切り錯乱用柵体４が主柵体１を越え、これにより当該吊り下げ部材２の跳ね上げ状態での係止的な停止が図られるように構成してある。
【００２０】
図２は本発明の他の実施例を表したものであって、図１に示す実施例にあっては、「吊り下げ部材２の上端位置が、主柵体１の高さ方向の中央位置（半分の位置）を超えた部分に位置するように設定」したものとしてあるが、図２に示すものはこのような制限を設けないように構成したものである。すなわち、吊り下げ部材２を跳ね上げた際にその上端部分が主柵体１の表面に衝接した状態となるようにしたものである。これにより、主柵体１の高さ的制限が無くなることとなる。然し乍ら、この場合は、当該跳ね上げ状態にある吊り下げ部材２の安定化を図るための適宜掛け止め金具を必要に応じて設けるものとする。
【００２１】
そして、図２に示す実施例にあっては、主柵体１における当該吊り下げ部材と重複する部分に網材等の柵材１ａを設けないことにより（主柵体１の下方部分は、網材等が無い開放状態に保つことにより）、当該吊り下げ部材２を跳ね上げた際に、作業用等の出入り口とする開口部分が、当該主柵体の全幅に亘って、或は、一部分に形成されるように構成してある。これにより、吊り下げ部材２を跳ね上げての作業時、主柵体１の内外の自由通行が許容化される。
【００２２】
なお、このような構成は、図１に示す実施例においても、また、下記する図３に示す実施例においても、採用可能とする構成に属する。
【００２３】
図３は本発明のもう一つの実施例を表したものであって、これは吊り下げ部材２を、図１及び図２に示す実施例のように主柵体１と密着状態とすることなく、前方に迫り出した状態、すなわち、斜状に設けるように構成したものである。これに依り、裾柵体３と、動物の侵入方向に斜め上方に突出する踏切り錯乱用柵体４全体の迫り出し位置の任意設定が可能化されることとなる。このような形態にあっても、既述した重複部分の実質的な存在を妨げるものではなく、重複部分に対する前述した自由通行に対する構成（網不存在性に基づく構成）の採用を妨げるものではない。
【００２４】
本発明は、動物の侵入が予想される側に吊り下げ部材２が位置するように設置するものである。このような設置に基づき、動物の潜入は裾柵体３の存在により、また、踏切り錯乱用柵体４により跳躍力の阻害化が図られる。そして、草取りのような整備作業等に際しては、裾柵体３と踏切り錯乱用柵体４とを跳ね上げておくことより、当該作業の邪魔性の解消化が図られる。
【００２５】
なお、本発明は、その全体が網材により構成、または網材を張着したもので構成することを原則とするが、これは絶対的な要件ではない。場合によっては、全体または部分的に板材を用いるように構成する場合もある。
【符号の説明】
【００２６】
１    主柵体
１ａ  網材等の柵材
２    吊り下げ部材侵入防止
３    裾柵体
４    踏切り錯乱用柵体
５    枢支
【図１】
2016202069.tif 000003
【図２】
2016202069.tif 000004
【図３】
2016202069.tif 000005
【図４】
2016202069.tif 000006